(57)【要約】【課題】  第２容器の口首部の先端開口の口径が第１容器の肩部の最大径よりも大きくなっている場合でも、第１容器から第２容器に第１剤を供給する際に、第１容器が第２容器の内部に落ち込むのを回避できる染毛剤製品用組合せ容器を提供する。【解決手段】  第２容器１１に収容された第２剤に第１容器１０から第１剤を加えて混合することにより染毛剤を形成する染毛剤製品に用いる第２容器１１と第１容器１０との組合せ容器であって、第２容器１１の口首部１２の先端開口１４の口径Ｄ1が第１容器１０の肩部１５の最大径Ｄ2よりも大きく、且つ第２容器１１の口首部１２の内壁の先端開口１４から離れた位置に、内接円１６の直径Ｄ3が第１容器１０の肩部１５の径Ｄ2よりも小さくなるように形成された容器受け部１７が、口首部１２の内側に突出して設けられている。【選択図】      図２
2007106492.tif 000002
【特許請求の範囲】
【請求項１】
第２容器に収容された第２剤に第１容器から第１剤を加えて混合することにより染毛剤を形成する染毛剤製品に用いる第２容器と第１容器との組合せ容器であって、
前記第２容器の口首部の先端開口の口径が前記第１容器の肩部の最大径よりも大きく、且つ前記第２容器の口首部の内壁の先端開口から離れた位置に、容器受け部が突出して設けられている染毛剤製品用組合せ容器。
【請求項２】
前記容器受け部は、内接円の直径が前記第１容器の肩部の径よりも小さくなるように形成される請求項１記載の染毛剤製品用組合せ容器。
【請求項３】
前記容器受け部は、前記第２容器の口首部と一体成形される請求項２記載の染毛剤製品用組合せ容器。
【請求項４】
前記第１容器は、肩部が円錐形状のチューブ容器である請求項１〜３のいずれかに記載の染毛剤製品用組合せ容器。
【請求項５】
前記第２容器の口首部に染毛剤の塗布具が装着される請求項１〜４のいずれかに記載の染毛剤製品用組合せ容器。
【発明の詳細な説明】
【技術分野】
【０００１】
本発明は、第２容器に収容された第２剤に第１容器から第１剤を加えて混合することにより染毛剤を形成する染毛剤製品に用いる組合せ容器に関する。
【背景技術】
【０００２】
染毛剤製品は、一般に過酸化水素水を含む酸性の第２剤が収容された第２容器に、第１容器に収容されたアルカリ剤である第１剤を加えて混合することにより、発色した染毛剤を形成するものであり、第２剤が収容された第２容器と第１剤が収容された第１容器との組合せ容器を含む製品として製造、販売される（例えば、特許文献１参照）。また染毛剤製品は、第２剤と第１剤との反応を促進するための補助剤を収容した補助容器や、第２容器の口首部に装着されて毛髪への塗布作業を容易にする、例えば櫛歯状部分を備える塗布具と共に製造、販売される場合もある。
【０００３】
このような染毛剤製品では、これを購入した使用者は、第２剤が収容された第２容器の口首部からキャップを取り外し、口首部の先端開口を介して、キャップを取り外した第１容器から第１剤を第２容器に供給して混合させることになる。ここで、第２容器の口首部の先端開口の口径が第１容器の肩部の最大径よりも小さくなるように第２容器と第１容器とを設計することにより、第１容器から第２容器に第１剤を供給する際に、誤って第１容器が第２容器の内部に落ち込むのを回避することが可能になる。
【特許文献１】特開２００１−６１５３８号公報
【発明の開示】
【発明が解決しようとする課題】
【０００４】
一方、染毛剤製品は、第２剤や第１剤の混合割合や粘度等の剤の物性によっては、第２容器の口首部の先端開口の口径が第１容器の肩部の最大径よりも小さくなるよう設計することが必ずしも効率の良い組合せ容器とならない場合がある。特に、第１剤が粘度の大きなクリーム状の剤であって、第１容器としてアルミチューブが用いられる場合、アルミチューブはその容量等に応じて肩部の大きさが予め定められた数種類の規格品として製造されるものであるため、第２容器の先端開口の大きさに合わせてより大きな規格のアルミチューブを選定したり、アルミチューブに改良を施すと、却ってコスト高になる。
【０００５】
これに対して、第２容器の口首部の先端開口の口径を小さく形成することも考えられるが、染毛剤製品の第２容器は、口首部に例えば櫛歯状部分を備える塗布具を装着して、そのまま塗布作業に用いられることになるため、塗布作業時における第２容器から塗布具への染毛剤の供給を考えた場合に、塗布具全体の広い範囲に亘って速やかに染毛剤が供給されるようにするためには、第２容器の口首部の先端開口は、できるだけ大きな口径が確保されていることが好ましい。
【０００６】
本発明は、第２容器の口首部の先端開口の口径が第１容器の肩部の最大径よりも大きくなっている場合でも、第１容器から第２容器に第１剤を供給する際に、第１容器が第２容器の内部に落ち込むのを回避できる染毛剤製品用組合せ容器を提供することを目的とする。
【課題を解決するための手段】
【０００７】
本発明は、第２容器に収容された第２剤に第１容器から第１剤を加えて混合することにより染毛剤を形成する染毛剤製品に用いる第２容器と第１容器との組合せ容器であって、前記第２容器の口首部の先端開口の口径が前記第１容器の肩部の最大径よりも大きく、且つ前記第２容器の口首部の内壁の先端開口から離れた位置に、好ましくは内接円の直径が前記第１容器の肩部の径よりも小さくなるように形成された容器受け部が、突出して設けられている染毛剤製品用組合せ容器を提供することにより、上記目的を達成したものである。
【発明の効果】
【０００８】
本発明の染毛剤製品用組合せ容器によれば、第２容器の口首部の先端開口の口径が第１容器の肩部の最大径よりも大きくなっている場合でも、第１容器から第２容器に第１剤を供給する際に、第１容器が第２容器の内部に落ち込むのを回避することができる。
【発明を実施するための最良の形態】
【０００９】
本発明の好ましい一実施形態に染毛剤製品用組合せ容器は、図１に示すように、第１剤を収容したアルミチューブ容器である第１容器１０と、第２剤を収容した合成樹脂製のボトル容器である第２容器１１と、毛髪へ染毛剤を塗布する操作を行う際に、第２容器１１の口首部１２に螺合装着されて用いられる塗布具１３とからなる染毛剤製品において、第１容器１０と第２容器１１を組み合わせて構成されるものである。また、本実施形態の染毛剤製品用組合せ容器は、第２容器１１の口首部１２の先端開口１４を介して、第２剤と混合させるべく第１容器１０から第１剤を絞り出すようにして第２容器１１に供給する際に（図２（ａ）参照）、誤って第１容器１０が第２容器１１の内部に落ち込むのを回避して、第１容器１０の周囲に過酸化水素水を含む酸性水溶液である第２剤が付着したり、付着した第２剤が手や指等に触れて皮膚刺激を生じるのを防止できるようにするために採用されたものである。
【００１０】
そして、本実施形態の染毛剤製品用組合せ容器は、第２容器１１に収容された第２剤に第１容器１０から第１剤を加えて混合することにより染毛剤を形成する染毛剤製品に用いる第２容器１１と第１容器１０との組合せ容器であって、図２（ａ）〜（ｃ）にも示すように、第２容器１１の口首部１２の先端開口１４の口径Ｄ1が第１容器１０の肩部１５の最大径Ｄ2よりも大きく、且つ第２容器１１の口首部１２の内壁の先端開口１４から離れた位置に、好ましくは内接円１６の直径Ｄ3が第１容器１０の肩部１５の径Ｄ2よりも小さくなるように形成された容器受け部１７が、口首部１２の内側に突出して設けられている。
【００１１】
本実施形態の組合せ容器を構成する第１容器１０は、規格化された公知のアルミチューブ容器であって、内部には染毛剤の第１剤として、クリーム状のアルカリ剤が収容されている。また第１容器１０の口首部１８には、チューブキャップ１９が着脱可能に螺合装着されており、染毛剤製品の使用時には、このチューブキャップ１９を取り外して、口首部１８から第１剤を吐出する。さらに第１容器１０の肩部１５は、扁平な緩い勾配の切頭円錐形状に形成されており、その最大径Ｄ2である直径は、例えば２５．４ｍｍとなっている。
【００１２】
本実施形態の組合せ容器を構成する第２容器１１は、例えばポリエチレンやポリプロピレン等からなる合成樹脂製の略円筒形状のボトル容器であって、内部には染毛剤の第２剤として、過酸化水素を含有した酸性水溶液が収容されている。第２容器１１の口首部１２には、ボトルキャップ２０が着脱可能に螺合装着されており、染毛剤製品の使用時には、このボトルキャップ２０を取り外し、口首部１２の先端開口１４を介して第１容器１０から第１剤を第２容器１１に供給する。また、第２容器１１の口首部１２には、塗布具１３が螺合装着され、第２容器１１と塗布具１３とを一体として用いて、第２剤に第１剤を混合して得られた染毛剤を毛髪に塗布する操作を容易に行うことがきるようになっている。
【００１３】
さらに、本実施形態では、第２容器１１の口首部１２の先端開口１４は、第１容器１０の肩部１５の最大径Ｄ2よりも大きな、例えば２６．２ｍｍの口径Ｄ1で円形に開口していると共に、この先端開口１４から例えば３．０〜１０．０ｍｍ程度下方に離れた位置に、容器受け部１７が、口首部１２の内壁面から内側に突出して設けられている。容器受け部１７は、第２容器１１の口首部１２の内壁面に沿って円形リング形状に連続突出して設けられており（図２（ｂ）参照）、これによって、容器受け部１７の内接円１６に相当する円形リング形状の容器受け部１７の内側縁部による円の直径Ｄ3は、例えば２５．０ｍｍとなっている。
【００１４】
なお、容器受け部１７は、口首部１２の内壁面に沿って円形リング形状に連続して設ける必要は必ずしも無く、例えば図２（ｃ）に示すように、口首部１２の内壁面からリブ状或いは突起状に突出させて、円周方向に好ましくは２箇所以上設けられていれば良い。この場合には、これらの容器受け部１７に接する内接円１６の直径Ｄ3が例えば２５．０ｍｍとなるように、各容器受け部１７を突出させる。また、これらの容器受け部１７は、例えばブロー成形によって第２容器１１を形成する際に、口首部１２の金型に一段高くなった凸部を設けておくことにより、第２容器１１の口首部１２と一体成形して容易に設けることが可能である。
【００１５】
染毛剤を毛髪へ塗布する際に第２容器１１の口首部１２に装着される塗布具１３は、図３にも示すように、例えば合成樹脂を射出成形して形成される櫛歯状部分２１を備える塗布具である。この櫛歯状部分２１は、塗布具１３の第２容器１１の口首部１２への装着時に口首部１２の先端開口１４の径方向に所定の間隔をおいて連設配置される、繊毛剤通路２２を内部に備える複数の櫛歯２３によって構成されている。塗布具１３を第２容器１１の口首部１２に装着して染毛剤を塗布する操作を行うことにより、第２容器１１を把持しつつ染毛剤を毛髪にスムーズに塗布してゆくことが可能になる。本実施形態では、塗布具１３は、繊毛剤通路２２を内部に備える複数の櫛歯２３を設けてなる櫛歯状部分２１を備えているので、この櫛歯状部分２１によって毛髪を梳かすようにしながら、染毛剤を広範囲に亘ってさらにスムーズに毛髪へ塗布してゆくことが可能になる。
【００１６】
そして、本実施形態によれば、第２容器１１の口首部１２の先端開口１４の口径Ｄ1が第１容器１０の肩部１５の最大径Ｄ2よりも大きくなっているが、第１容器１０から第２容器１１に第１剤を供給する際に、第１容器１０が第２容器１１の内部に落ち込むのを容器受け部１７にて回避することができるので、第１容器１０の周囲に酸性水溶液である第２剤が付着したり、付着した第２剤が手や指等に触れて皮膚刺激を生じるのを効果的に防止することが可能になる。
【００１７】
すなわち、本実施形態では、第２容器１１の口首部１２の先端開口１４から離れた位置に、内接円１６の直径Ｄ3が第１容器１０の肩部１５の径Ｄ2よりも小さくなるように形成された容器受け部１７が、口首部１２の内側に突出して設けられているので、第１容器１０は、肩部１５が引っ掛かって容器受け部１７よりも下方に挿入されることがなく、第１容器１０が第２容器１１の内部に落ち込むのを確実に回避することが可能になる。
【００１８】
また、本実施形態では、第２容器１１の口首部１２の先端開口１４は、肩部１５の最大径Ｄ2よりも大きな相当の大きさの口径を確保するので、この大きな口径の先端開口１４を介して、塗布作業時に塗布具１３の全体の広い範囲に亘って速やかに染毛剤を供給することが可能になり、より効果的に染毛剤を毛髪に塗布してゆくことが可能になる。
【００１９】
さらに、本実施形態では、第１容器１０の肩部１５を円錐形としたので、容器受け部１７によって第１容器１０が安定保持されることとなり、第１剤の第２容器への供給が簡便になる。
【００２０】
図４（ａ），（ｂ）は、本発明の他の実施形態に係る染毛剤製品用組合せ容器を示すものである。  図４（ａ），（ｂ）に示す染毛剤製品用組合せ容器は、上記実施形態の組合せ容器と略同様の構成を備える一方で、容器受け部１７を第２容器１１と一体成形することなく、口首部１２の先端開口１４に、別途成形した容器受け部２４を備える中栓２５を取り付け、これによって、中栓２５による口首部１２の先端開口２６の口径Ｄ1を第１容器１０の肩部１５の最大径Ｄ2よりも大きくし、中栓２５による口首部１２の先端開口２６から離れた位置に、内接円の直径Ｄ3が第１容器１０の肩部１５の径Ｄ2よりも小さくなった容器受け部２４を形成している。図４（ａ），（ｂ）に示す染毛剤製品用組合せ容器によっても、上記実施形態の組合せ容器と略同様の作用効果が奏される。
【００２１】
なお、本発明は上記各実施形態に限定されることなく種々の変更が可能である。例えば、第１容器はアルミチューブ容器である必要は必ずしも無く、その他のチューブ容器の他、肩部の最大径が第２容器の口首部の先端開口の口径よりも小さいものであれば、ボトル容器等の他の形状の容器であっても良い。また第１容器の肩部は、錐形状であることが好ましいが、円錐形の他、楕円錐形状等のその他の平面形状を備えていても良い。
【図面の簡単な説明】
【００２２】
【図１】本発明の好ましい一実施形態に係る染毛剤製品用組合せ容器を含む製品の構成物品を説明する正面図である。
【図２】（ａ）本発明の好ましい一実施形態に係る染毛剤製品用組合せ容器の要部を示す断面図、（ｂ），（ｃ）は、第２容器の口首部の上面図である。
【図３】第２容器の口首部に塗布具を装着した状態を示す断面図である。
【図４】（ａ）は本発明の他の実施形態に係る染毛剤製品用組合せ容器の要部を示す断面図、（ｂ）は第２容器の口首部に塗布具を装着した状態を示す断面図である。
【符号の説明】
【００２３】
１０  第１容器
１１  第２容器
１２  第２容器の口首部
１３  塗布具
１４  第２容器の口首部の先端開口
１５  第１容器の肩部
１６  容器受け部の内接円
１７，２４  容器受け部
１８  第１容器の口首部
１９  チューブキャップ
２０  ボトルキャップ
２１  櫛歯状部分
２２  繊毛剤通路
２３  櫛歯
２５  中栓
２６  中栓による口首部の先端開口
Ｄ1   第２容器の口首部の先端開口の口径
Ｄ2   第１容器の肩部の径（最大径）
Ｄ3   容器受け部の内接円の直径
【図１】
2007106492.tif 000003
【図２】
2007106492.tif 000004
【図３】
2007106492.tif 000005
【図４】
2007106492.tif 000006